(57)【要約】【課題】蓄電池をより効率的に制御する。【解決手段】本発明に係る電力制御装置（１００）は、交流電力を直流電力に変換するＡＣ／ＤＣコンバータ（１０１）と、直流電力を交流電力に変換するインバータ（１０２）と、第１から第６スイッチ（ＳＷ１〜ＳＷ６）と、第１から第６スイッチ（ＳＷ１〜ＳＷ６）を制御する制御部（１０３）と、を備え、制御部（１０３）は、系統が停電している場合に、第１蓄電池（２１０）を充電して第２蓄電池（２２０）を放電させる第１の動作状態と、第１蓄電池（２１０）を放電させて第２蓄電池（２２０）を充電する第２の動作状態と、のいずれかの動作状態になるように第１から第６スイッチ（ＳＷ１〜ＳＷ６）を制御する。【選択図】図１
2016025797.tif 000002
【特許請求の範囲】
【請求項１】
系統及び分散電源に接続し、第１蓄電池及び第２蓄電池と共に用いられる電力制御装置であって、
前記系統及び前記分散電源から供給される交流電力を直流電力に変換するＡＣ／ＤＣコンバータと、
前記第１蓄電池及び前記第２蓄電池から供給される直流電力を交流電力に変換するインバータと、
前記ＡＣ／ＤＣコンバータと前記第１蓄電池との接続の有無を切り換える第１スイッチと、
前記ＡＣ／ＤＣコンバータと前記第２蓄電池との接続の有無を切り換える第２スイッチと、
前記インバータと前記第１蓄電池との接続の有無を切り換える第３スイッチと、
前記インバータと前記第２蓄電池との接続の有無を切り換える第４スイッチと、
前記ＡＣ／ＤＣコンバータと前記分散電源との接続の有無を切り換える第５スイッチと、
前記ＡＣ／ＤＣコンバータと前記系統との接続の有無を切り換える第６スイッチと、
前記第１から第６スイッチを制御する制御部と、を備え、
前記制御部は、前記系統が停電している場合に、
前記第５スイッチをオンし、
前記第６スイッチをオフし、
前記第１から第４スイッチについては、
前記第１及び前記第４スイッチがオン、且つ、前記第２及び前記第３スイッチがオフである第１の動作状態と、
前記第２及び前記第３スイッチがオン、且つ、前記第１及び前記第４スイッチがオフである第２の動作状態と、のいずれかの動作状態になるように制御することを特徴とする電力制御装置。
【請求項２】
請求項１に記載の電力制御装置において、前記制御部は、停電状態において、
前記第１の動作状態にしていて前記第１蓄電池が満充電になった場合は、前記第１から第４スイッチを、前記第１の動作状態から前記第２の動作状態に切り換えるように制御し、
前記第２の動作状態にしていて前記第２蓄電池が満充電になった場合は、前記第１から第４スイッチを、前記第２の動作状態から前記第１の動作状態に切り換えるように制御することを特徴とする電力制御装置。
【請求項３】
請求項１又は２に記載の電力制御装置において、前記制御部は、停電状態において、
前記第１の動作状態にしていて前記第２蓄電池の充電量が所定の閾値以下になった場合は、前記第１から第４スイッチを、前記第１の動作状態から前記第２の動作状態に切り換えるように制御し、
前記第２の動作状態にしていて前記第１蓄電池の充電量が所定の閾値以下になった場合は、前記第１から第４スイッチを、前記第２の動作状態から前記第１の動作状態になるように制御することを特徴とする電力制御装置。
【請求項４】
請求項１から３のいずれか一項に記載の電力制御装置において、さらに、前記インバータと、停電状態においても給電を受け続ける負荷である特別負荷との接続の有無を切り換える第７スイッチを備えることを特徴とする電力制御装置。
【請求項５】
請求項４に記載の電力制御装置において、前記制御部は、停電状態において前記第７スイッチをオンすることを特徴とする電力制御装置。
【請求項６】
請求項４又は５に記載の電力制御装置において、さらに、前記系統と前記特別負荷との接続の有無を切り換える第８スイッチを備えることを特徴とする電力制御装置。
【請求項７】
請求項６に記載の電力制御装置において、前記制御部は、停電状態において前記第８スイッチをオフすることを特徴とする電力制御装置。
【請求項８】
請求項１から７のいずれか一項に記載の電力制御装置において、前記分散電源は太陽光発電装置であることを特徴とする電力制御装置。
【請求項９】
系統及び分散電源に接続して用いられる蓄電装置であって、
第１蓄電池及び第２蓄電池と、
前記系統及び前記分散電源から供給される交流電力を直流電力に変換するＡＣ／ＤＣコンバータと、
前記第１蓄電池及び前記第２蓄電池から供給される直流電力を交流電力に変換するインバータと、
前記ＡＣ／ＤＣコンバータと前記第１蓄電池との接続の有無を切り換える第１スイッチと、
前記ＡＣ／ＤＣコンバータと前記第２蓄電池との接続の有無を切り換える第２スイッチと、
前記インバータと前記第１蓄電池との接続の有無を切り換える第３スイッチと、
前記インバータと前記第２蓄電池との接続の有無を切り換える第４スイッチと、
前記ＡＣ／ＤＣコンバータと前記分散電源との接続の有無を切り換える第５スイッチと、
前記ＡＣ／ＤＣコンバータと前記系統との接続の有無を切り換える第６スイッチと、
前記第１から第６スイッチを制御する制御部と、を備え、
前記制御部は、前記系統が停電している場合に、
前記第５スイッチをオンし、
前記第６スイッチをオフし、
前記第１から第４スイッチについては、
前記第１及び前記第４スイッチがオン、且つ、前記第２及び前記第３スイッチがオフである第１の動作状態と、
前記第２及び前記第３スイッチがオン、且つ、前記第１及び前記第４スイッチがオフである第２の動作状態と、のいずれかの動作状態になるように制御することを特徴とする蓄電装置。
【発明の詳細な説明】
【技術分野】
【０００１】
本発明は、電力制御装置及び蓄電装置に関するものである。
【背景技術】
【０００２】
太陽光発電装置と蓄電池とを系統に連系させて制御するシステムが知られている（例えば、特許文献１参照）。
【０００３】
特許文献１に記載のシステムによれば、系統が正常な場合においては、系統電力又は太陽光発電電力によって蓄電池を充電することができ、また、系統に接続されている負荷機器を、系統電力、太陽光発電電力又は蓄電池放電電力によって給電して動作させることができる。
【０００４】
また、特許文献１に記載のシステムによれば、系統が停電している場合においては、太陽光発電装置及び蓄電池を自立運転させて、重要な負荷機器（例えば、ＨＥＭＳ（Home Energy Management System）コントローラ、冷蔵庫、照明、通信機器など）へ給電して動作させることができる。または、太陽光発電電力によって蓄電池を充電することができる。
【先行技術文献】
【特許文献】
【０００５】
【特許文献１】特開２０１２−５５０５９号公報
【発明の概要】
【発明が解決しようとする課題】
【０００６】
しかしながら、蓄電池は充電と放電とを同時に行うことができないため、系統が停電している場合に、太陽光発電電力によって蓄電池を充電すると、蓄電池放電電力によって重要負荷機器へ給電することができなくなってしまう。また、系統が停電している場合に、蓄電池放電電力により重要負荷機器へ給電すると、太陽光発電電力によって蓄電池を充電することができず、太陽光発電電力が無駄になってしまう。このため、停電時に太陽光発電電力を無駄にすることがないよう、蓄電池をより効率的に制御することが求められていた。
【０００７】
かかる点に鑑みてなされた本発明の目的は、蓄電池をより効率的に制御することができる電力制御装置及び蓄電装置を提供することにある。
【課題を解決するための手段】
【０００８】
上記課題を解決するため、本発明に係る電力制御装置は、系統及び分散電源に接続し、第１蓄電池及び第２蓄電池と共に用いられる電力制御装置であって、前記系統及び前記分散電源から供給される交流電力を直流電力に変換するＡＣ／ＤＣコンバータと、前記第１蓄電池及び前記第２蓄電池から供給される直流電力を交流電力に変換するインバータと、前記ＡＣ／ＤＣコンバータと前記第１蓄電池との接続の有無を切り換える第１スイッチと、前記ＡＣ／ＤＣコンバータと前記第２蓄電池との接続の有無を切り換える第２スイッチと、前記インバータと前記第１蓄電池との接続の有無を切り換える第３スイッチと、前記インバータと前記第２蓄電池との接続の有無を切り換える第４スイッチと、前記ＡＣ／ＤＣコンバータと前記分散電源との接続の有無を切り換える第５スイッチと、前記ＡＣ／ＤＣコンバータと前記系統との接続の有無を切り換える第６スイッチと、前記第１から第６スイッチを制御する制御部と、を備え、前記制御部は、前記系統が停電している場合に、前記第５スイッチをオンし、前記第６スイッチをオフし、前記第１から第４スイッチについては、前記第１及び前記第４スイッチがオン、且つ、前記第２及び前記第３スイッチがオフである第１の動作状態と、前記第２及び前記第３スイッチがオン、且つ、前記第１及び前記第４スイッチがオフである第２の動作状態と、のいずれかの動作状態になるように制御することを特徴とする。
【０００９】
また、本発明に係る電力制御装置において、前記制御部は、停電状態において、前記第１の動作状態にしていて前記第１蓄電池が満充電になった場合は、前記第１から第４スイッチを、前記第１の動作状態から前記第２の動作状態に切り換えるように制御し、前記第２の動作状態にしていて前記第２蓄電池が満充電になった場合は、前記第１から第４スイッチを、前記第２の動作状態から前記第１の動作状態に切り換えるように制御することが好ましい。
【００１０】
また、本発明に係る電力制御装置において、前記制御部は、停電状態において、前記第１の動作状態にしていて前記第２蓄電池の充電量が所定の閾値以下になった場合は、前記第１から第４スイッチを、前記第１の動作状態から前記第２の動作状態に切り換えるように制御し、前記第２の動作状態にしていて前記第１蓄電池の充電量が所定の閾値以下になった場合は、前記第１から第４スイッチを、前記第２の動作状態から前記第１の動作状態になるように制御することが好ましい。
【００１１】
また、本発明に係る電力制御装置において、さらに、前記インバータと、停電状態においても給電を受け続ける負荷である特別負荷との接続の有無を切り換える第７スイッチを備えることが好ましい。
【００１２】
また、本発明に係る電力制御装置において、前記制御部は、停電状態において前記第７スイッチをオンすることが好ましい。
【００１３】
また、本発明に係る電力制御装置において、さらに、前記系統と前記特別負荷との接続の有無を切り換える第８スイッチを備えることが好ましい。
【００１４】
また、本発明に係る電力制御装置において、前記制御部は、停電状態に前記第８スイッチをオフすることが好ましい。
【００１５】
また、本発明に係る電力制御装置において、前記分散電源は太陽光発電装置であることが好ましい。
【００１６】
また、上記課題を解決するため、本発明に係る蓄電装置は、系統及び分散電源に接続して用いられる蓄電装置であって、第１蓄電池及び第２蓄電池と、前記系統及び前記分散電源から供給される交流電力を直流電力に変換するＡＣ／ＤＣコンバータと、前記第１蓄電池及び前記第２蓄電池から供給される直流電力を交流電力に変換するインバータと、前記ＡＣ／ＤＣコンバータと前記第１蓄電池との接続の有無を切り換える第１スイッチと、前記ＡＣ／ＤＣコンバータと前記第２蓄電池との接続の有無を切り換える第２スイッチと、前記インバータと前記第１蓄電池との接続の有無を切り換える第３スイッチと、前記インバータと前記第２蓄電池との接続の有無を切り換える第４スイッチと、前記ＡＣ／ＤＣコンバータと前記分散電源との接続の有無を切り換える第５スイッチと、前記ＡＣ／ＤＣコンバータと前記系統との接続の有無を切り換える第６スイッチと、前記第１から第６スイッチを制御する制御部と、を備え、前記制御部は、前記系統が停電している場合に、前記第５スイッチをオンし、前記第６スイッチをオフし、前記第１から第４スイッチについては、前記第１及び前記第４スイッチがオン、且つ、前記第２及び前記第３スイッチがオフである第１の動作状態と、前記第２及び前記第３スイッチがオン、且つ、前記第１及び前記第４スイッチがオフである第２の動作状態と、のいずれかの動作状態になるように制御することを特徴とする。
【発明の効果】
【００１７】
本発明に係る電力制御装置及び蓄電装置によれば、蓄電池をより効率的に制御することができる。
【図面の簡単な説明】
【００１８】
【図１】本発明の一実施形態に係る電力制御装置の第１の動作状態を示す図である。
【図２】本発明の一実施形態に係る電力制御装置の第２の動作状態を示す図である。
【図３】本発明の一実施形態に係る電力制御装置の第３の動作状態を示す図である。
【図４】本発明の一実施形態に係る電力制御装置の第４の動作状態を示す図である。
【発明を実施するための形態】
【００１９】
以下、本発明に係る実施形態について、図面を参照して説明する。図１から図４は、それぞれ、本発明の一実施形態に係る電力制御装置の第１から第４の動作状態を示す図である。電力制御装置の構成は、スイッチのオン／オフ状態を除いて、いずれの動作状態であっても同じである。代表して図１を参照し、電力制御装置１００の構成を説明する。
【００２０】
図１は、本発明の一実施形態に係る電力制御装置１００の第１の動作状態を示す図である。図１に示すように、電力制御装置１００は、第１蓄電池２１０、第２蓄電池２２０、太陽光発電装置３００、一般負荷４００、特別負荷５００、電流センサ６００及び系統７００に接続されている。
【００２１】
電力制御装置１００は、系統７００と、第１蓄電池２１０及び第２蓄電池２２０との間の接続を制御する。また、電力制御装置１００は、太陽光発電装置３００と、第１蓄電池２１０及び第２蓄電池２２０との間の接続を制御する。また、電力制御装置１００は、第１蓄電池２１０及び第２蓄電池２２０の放電電力を、一般負荷４００及び特別負荷５００へ給電するか否かを制御する。電力制御装置１００の構成の詳細については後述する。
【００２２】
第１蓄電池２１０及び第２蓄電池２２０は、電力制御装置１００によって、独立して充電／放電を制御される。電力制御装置１００は、系統７００が停電状態である場合において、第１蓄電池２１０及び第２蓄電池２２０のうちのいずれか一方を充電させ、他方を放電させるように制御することができる。また、電力制御装置１００は、系統７００が通常状態である場合において、第１蓄電池２１０及び第２蓄電池２２０の双方を、充電又は放電させるように制御することもできる。
【００２３】
また、第１蓄電池２１０及び第２蓄電池２２０は、電力制御装置１００と有線又は無線により接続しており、充電状態などの情報を電力制御装置１００に送信する。
【００２４】
なお、図１においては、電力制御装置１００が、外部にある第１蓄電池２１０及び第２蓄電池２２０を制御する構成を示しているが、１つの蓄電装置に、電力制御装置１００に相当する構成要素、並びに、第１蓄電池２１０及び第２蓄電池２２０が含まれる構成としてもよい。
【００２５】
太陽光発電装置３００は、太陽電池３０１、インバータ３０２及びスイッチ３０３を備える。太陽電池３０１は、太陽光のエネルギーを直流電力に変換する。インバータ３０２は、太陽電池３０１から供給される直流電力を交流電力に変換する。スイッチ３０３は、インバータ３０２と系統７００との間の接続の有無を切り換える。
【００２６】
太陽光発電装置３００は、系統７００が停電状態である場合は、スイッチ３０３をオフして太陽光発電装置３００を系統７００から切り離す。また、太陽光発電装置３００は、系統７００が通常状態である場合は、スイッチ３０３をオンして太陽光発電装置３００を系統７００に連系させる。なお、図１においては、太陽光発電装置３００が太陽電池３０１を含む構成を示しているが、これは一例であり、太陽電池３０１が太陽光発電装置３００の外部に設置されている構成であってもよい。
【００２７】
一般負荷４００は、例えば、家庭用の電気機器などであり、系統７００が通常状態である場合に、系統７００の電力、太陽光発電装置３００の発電電力、並びに、第１蓄電池２１０及び第２蓄電池２２０の放電電力などによって給電される。一般負荷４００は、系統７００が停電状態である場合には給電を受けない。なお、図１においては、１台の一般負荷４００を示しているが、一般負荷４００は任意の台数であってよい。
【００２８】
特別負荷５００は、例えば、ＨＥＭＳコントローラ、冷蔵庫、照明、通信機器などのような比較的重要な機器であり、系統７００が停電状態になっても給電を受け続ける負荷である。系統７００が停電状態である場合には、特別負荷５００は、第１蓄電池２１０又は第２蓄電池２２０から給電を受ける。なお、図１においては、１台の特別負荷５００を示しているが、特別負荷５００は任意の台数であってよい。
【００２９】
電流センサ６００は、第１蓄電池２１０及び第２蓄電池２２０の放電電力が系統７００に逆潮流しているか否かを検出するためのセンサである。電流センサ６００は、電力制御装置１００と有線又は無線により接続しており、検出した電流情報を電力制御装置１００に送信する。
【００３０】
以下、電力制御装置１００の構成の詳細について説明する。
【００３１】
電力制御装置１００は、ＡＣ／ＤＣコンバータ１０１と、インバータ１０２と、制御部１０３と、第１から第８スイッチＳＷ１〜ＳＷ８とを備える。
【００３２】
ＡＣ／ＤＣコンバータ１０１は、系統７００から供給される交流電力を直流電力に変換して、第１蓄電池２１０及び第２蓄電池２２０の双方、又は、いずれか一方を充電する。また、ＡＣ／ＤＣコンバータ１０１は、太陽光発電装置３００から供給される交流電力を直流電力に変換して、第１蓄電池２１０及び第２蓄電池２２０の双方、又は、いずれか一方を充電する。
【００３３】
インバータ１０２は、第１蓄電池２１０及び第２蓄電池２２０の双方、又は、いずれか一方から供給される直流電力を交流電力に変換して、特別負荷５００へ給電するか、特別負荷５００及び一般負荷４００の双方へ給電する。
【００３４】
制御部１０３は、電力制御装置１００全体を制御及び管理するものであり、例えばプロセッサにより構成することができる。
【００３５】
制御部１０３は、動作状態に応じて、第１から第８スイッチＳＷ１〜ＳＷ８を制御し、接続の有無を切り換える。なお、以下の説明において、スイッチを「オンする」とは、スイッチを「閉じる」ことを意味し、スイッチを「オフする」とは、スイッチを「開放する」ことを意味する。
【００３６】
制御部１０３は、ＡＣ／ＤＣコンバータ１０１が出力する直流電力によって第１蓄電池２１０を充電する場合は第１スイッチＳＷ１をオンし、充電しない場合は第１スイッチＳＷ１をオフする。
【００３７】
制御部１０３は、ＡＣ／ＤＣコンバータ１０１が出力する直流電力によって第２蓄電池２２０を充電する場合は第２スイッチＳＷ２をオンし、充電しない場合は第２スイッチＳＷ２をオフする。
【００３８】
制御部１０３は、第１蓄電池２１０を放電させて、インバータ１０２によって第１蓄電池２１０が出力する直流電力を交流電力に変換する場合は、第３スイッチＳＷ３をオンし、第１蓄電池２１０を放電させない場合は第３スイッチＳＷ３をオフする。
【００３９】
制御部１０３は、第２蓄電池２２０を放電させて、インバータ１０２によって第２蓄電池２２０が出力する直流電力を交流電力に変換する場合は、第４スイッチＳＷ４をオンし、第２蓄電池２２０を放電させない場合は第４スイッチＳＷ４をオフする。
【００４０】
制御部１０３は、太陽光発電装置３００から供給される交流電力を直流電力に変換して、第１蓄電池２１０及び第２蓄電池２２０の双方、又は、いずれか一方を充電する場合は第５スイッチＳＷ５をオンし、太陽光発電装置３００から交流電力の供給を受けない場合は第５スイッチＳＷ５をオフする。
【００４１】
制御部１０３は、系統７００から供給される交流電力を直流電力に変換して、第１蓄電池２１０及び第２蓄電池２２０の双方、又は、いずれか一方を充電する場合は第６スイッチＳＷ６をオンし、系統７００から供給される交流電力によって第１蓄電池２１０及び第２蓄電池２２０の双方、又は、いずれか一方を充電しない場合は第６スイッチＳＷ６をオフする。
【００４２】
制御部１０３は、インバータ１０２が出力する交流電力を特別負荷５００へ給電する場合は第７スイッチＳＷ７をオンし、特別負荷５００へ給電しない場合は第７スイッチＳＷ７をオフする。
【００４３】
制御部１０３は、インバータ１０２が出力する交流電力を系統７００に連系させる場合は、第７スイッチＳＷ７とともに第８スイッチＳＷ８をオンする。また、制御部１０３は、系統７００の電力及び太陽光発電装置３００の発電電力を特別負荷５００へ給電する場合も第８スイッチＳＷ８をオンする。
【００４４】
制御部１０３は、電流センサ６００から受信した電流情報により、第１蓄電池２１０又は第２蓄電池２２０から系統７００への逆潮流が起こっていると判定した場合は、第８スイッチＳＷ８をオフし、逆潮流を防ぐ。
【００４５】
以下、図１から図４に示している電力制御装置１００の第１から第４の動作状態の各々について、制御部１０３が第１から第８スイッチＳＷ１〜ＳＷ８を制御する様子を説明する。
【００４６】
（第１の動作状態）
図１に示す第１の動作状態は、系統７００が停電状態である場合の動作状態の例であり、第１の動作状態においては、電力制御装置１００は、太陽光発電装置３００によって第１蓄電池２１０を充電しつつ、第２蓄電池２２０を放電させて特別負荷５００へ給電する。すなわち、制御部１０３は、第１スイッチＳＷ１、第４スイッチＳＷ４、第５スイッチＳＷ５及び第７スイッチＳＷ７をオンし、第２スイッチＳＷ２及び第３スイッチＳＷ３をオフする。また、制御部１０３は、停電状態にある系統７００と電力制御装置１００とを切り離すため、第６スイッチＳＷ６及び第８スイッチＳＷ８をオフする。
【００４７】
（第２の動作状態）
図２に示す第２の動作状態は、系統７００が停電状態である場合の動作状態の例であり、第２の動作状態においては、電力制御装置１００は、太陽光発電装置３００によって第２蓄電池２２０を充電しつつ、第１蓄電池２１０を放電させて特別負荷５００へ給電する。すなわち、制御部１０３は、第２スイッチＳＷ２、第３スイッチＳＷ３、第５スイッチＳＷ５及び第７スイッチＳＷ７をオンし、第１スイッチＳＷ１及び第４スイッチＳＷ４をオフする。また、制御部１０３は、停電状態にある系統７００と電力制御装置１００とを切り離すため、第６スイッチＳＷ６及び第８スイッチＳＷ８をオフする。
【００４８】
（第３の動作状態）
図３に示す第３の動作状態は、系統７００が通常状態である場合の動作状態の例であり、第３の動作状態においては、電力制御装置１００は、系統７００及び太陽光発電装置３００によって第１蓄電池２１０及び第２蓄電池２２０を充電する。すなわち、制御部１０３は、第１スイッチＳＷ１、第２スイッチＳＷ２及び第６スイッチＳＷ６をオンし、第３スイッチＳＷ３、第４スイッチＳＷ４、第５スイッチＳＷ５及び第７スイッチＳＷ７をオフする。また、制御部１０３は、系統７００の電力及び太陽光発電装置３００の発電電力を特別負荷５００へ給電するため、第８スイッチＳＷ８をオンする。
【００４９】
（第４の動作状態）
図４に示す第４の動作状態は、系統７００が通常状態である場合の動作状態の例であり、第４の動作状態においては、第１蓄電池２１０及び第２蓄電池２２０を放電させて系統７００に連係させ、一般負荷４００及び特別負荷５００へ給電する。すなわち、制御部１０３は、第３スイッチＳＷ３、第４スイッチＳＷ４、第７スイッチＳＷ７及び第８スイッチＳＷ８をオンし、第１スイッチＳＷ１、第２スイッチＳＷ２、第５スイッチＳＷ５及び第６スイッチＳＷ６をオフする。
【００５０】
（第１の動作状態と第２の動作状態の切り換え）
制御部１０３は、図１に示す第１の動作状態において、第１蓄電池２１０から、第１蓄電池２１０が満充電になったとの情報を取得すると、第１スイッチＳＷ１をオフ、第３スイッチＳＷ３をオンとする制御をして、第１蓄電池２１０の接続先をＡＣ／ＤＣコンバータ１０１からインバータ１０２に切り換える。続いて、制御部１０３は、第２スイッチＳＷ２をオン、第４スイッチＳＷ４をオフとする制御をして、第２蓄電池２２０の接続先をインバータ１０２からＡＣ／ＤＣコンバータ１０１に切り換える。この制御により、電力制御装置１００は、図１に示す第１の動作状態から図２に示す第２の動作状態に移行する。
【００５１】
また、制御部１０３は、図２に示す第２の動作状態において、第２蓄電池２２０から、第２蓄電池２２０が満充電になったとの情報を取得すると、第２スイッチＳＷ２をオフ、第４スイッチＳＷ４をオンとする制御をして、第２蓄電池２２０の接続先をＡＣ／ＤＣコンバータ１０１からインバータ１０２に切り換える。続いて、制御部１０３は、第１スイッチＳＷ１をオン、第３スイッチＳＷ３をオフとする制御をして、第１蓄電池２１０の接続先をインバータ１０２からＡＣ／ＤＣコンバータ１０１に切り換える。この制御により、電力制御装置１００は、図２に示す第２の動作状態から図１に示す第１の動作状態に移行する。
【００５２】
また、制御部１０３は、図１に示す第１の動作状態において、第２蓄電池２２０から、第２蓄電池２２０の充電量が所定の閾値以下になったとの情報を取得すると、第１スイッチＳＷ１をオフ、第３スイッチＳＷ３をオンとする制御をして、第１蓄電池２１０の接続先をＡＣ／ＤＣコンバータ１０１からインバータ１０２に切り換える。続いて、制御部１０３は、第２スイッチＳＷ２をオン、第４スイッチＳＷ４をオフとする制御をして、第２蓄電池２２０の接続先をインバータ１０２からＡＣ／ＤＣコンバータ１０１に切り換える。この制御により、電力制御装置１００は、図１に示す第１の動作状態から図２に示す第２の動作状態に移行する。
【００５３】
また、制御部１０３は、図２に示す第２の動作状態において、第１蓄電池２１０から、第１蓄電池２１０の充電量が所定の閾値以下になったとの情報を取得すると、第２スイッチＳＷ２をオフ、第４スイッチＳＷ４をオンとする制御をして、第２蓄電池２２０の接続先をＡＣ／ＤＣコンバータ１０１からインバータ１０２に切り換える。続いて、制御部１０３は、第１スイッチＳＷ１をオン、第３スイッチＳＷ３をオフとする制御をして、第１蓄電池２１０の接続先をインバータ１０２からＡＣ／ＤＣコンバータ１０１に切り換える。この制御により、電力制御装置１００は、図２に示す第２の動作状態から図１に示す第１の動作状態に移行する。
【００５４】
（第１の動作状態と第２の動作状態の選択）
系統７００が通電状態から停電状態になった場合、制御部１０３は第１蓄電池２１０及び第２蓄電池２２０の充電量の情報を取得する。第１蓄電池２１０の充電量が第２蓄電池２２０の充電量以下である場合、制御部１０３は、第１の動作状態になるように、第１から第８スイッチＳＷ１〜ＳＷ８を制御する。第１蓄電池２１０の充電量が第２蓄電池２２０の充電量より多い場合、制御部１０３は、第２の動作状態になるように、第１から第８スイッチＳＷ１〜ＳＷ８を制御する。
【００５５】
このように、本実施形態によれば、電力制御装置１００は、系統７００が停電している場合に、第１蓄電池２１０を充電しつつ第２蓄電池２２０を放電させる第１の動作モードと、第２蓄電池２２０を充電しつつ第１蓄電池２１０を放電させる第２の動作モードとのいずれかの動作状態で動作する。これにより、電力制御装置１００は、蓄電池をより効率的に制御し、分散電源による発電電力を無駄にすることを抑制することができる。
【００５６】
また、本実施形態によれば、制御部１０３が、停電状態において、第１の動作状態にしていて第１蓄電池２１０が満充電になった場合は、第１の動作状態から第２の動作状態に切り換えるように制御し、第２の動作状態にしていて第２蓄電池２２０が満充電になった場合は、第２の動作状態から第１の動作状態に切り換えるように制御することにより、常に満充電状態でない蓄電池が充電されるようにすることができる。
【００５７】
また、本実施形態によれば、制御部１０３が、停電状態において、第１の動作状態にしていて第２蓄電池２２０の充電量が所定の閾値以下になった場合は、第１の動作状態から第２の動作状態に切り換えるように制御し、第２の動作状態にしていて第１蓄電池２１０の充電量が所定の閾値以下になった場合は、第２の動作状態から第１の動作状態になるように制御することにより、蓄電池の充電量が不足して特別負荷５００に電力を給電できなくなる状態になることを防ぐことができる。
【００５８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【００５９】
また、本実施形態においては、電力制御装置１００が分散電源として太陽光発電装置３００に接続されている場合を例に挙げて説明したが、太陽光発電装置以外の分散電源が電力制御装置１００に接続される構成であってもよい。例えば、分散電源として、燃料電池装置や風力発電装置が、太陽光発電装置３００の代わりに、または、太陽光発電装置３００に併せて電力制御装置１００に接続される構成であってもよい。
【符号の説明】
【００６０】
１００  電力制御装置
１０１  ＡＣ／ＤＣコンバータ
１０２  インバータ
１０３  制御部
２１０  第１蓄電池
２２０  第２蓄電池
３００  太陽光発電装置
３０１  太陽電池
３０２  インバータ
３０３  スイッチ
４００  一般負荷
５００  特別負荷
６００  電流センサ
７００  系統
ＳＷ１〜ＳＷ８  第１スイッチ〜第８スイッチ
【図１】
2016025797.tif 000003
【図２】
2016025797.tif 000004
【図３】
2016025797.tif 000005
【図４】
2016025797.tif 000006